(57)【要約】【課題】本発明は省エネ型蒸気洗浄装置を開示した。【解決手段】本発明は省エネ型蒸気洗浄装置を開示し、洗浄機を含み、前記洗浄機の中には上方に開口した洗浄チャンバが設置され、前記洗浄チャンバの中には昇降装置が設置され、前記昇降装置の中の下側には旋転装置が設置され、前記昇降装置は洗浄物を前記洗浄チャンバの中に送り、密封を行え、前記洗浄チャンバの左右両側には扇形の側面蒸気チャンバが対称的に設置され、本発明は密封環境で洗浄物に全方位洗浄を行うのと同時に、内部高温を利用して有効に殺菌と消毒もでき、また、洗浄中で生み出した気体が形成した気流を利用して電気を生み、貯蔵し、最大限にエネルギーの浪費を下げられ、よりエコである。【選択図】図１
2020195988.tif 000002
【特許請求の範囲】
【請求項１】
正面視で、洗浄機を含み、前記洗浄機の中には上方に開口した洗浄チャンバが設置され、前記洗浄チャンバの中には昇降装置が設置され、前記昇降装置の中の下側には旋転装置が設置され、前記昇降装置は洗浄物を前記洗浄チャンバの中に送り、密封を行え、前記洗浄チャンバの左右両側には扇形の側面蒸気チャンバが対称的に設置され、前記側面蒸気チャンバと前記洗浄チャンバと間には側面通気穴が上下に均一に配置し、且つ連通するように設置され、蒸気は前記側面通気穴を通過して洗浄物に噴出でき、前記旋転装置は洗浄物を緩速に回転させることができ、洗浄物を洗浄でき、前記洗浄チャンバの下側には制御装置が設置され、前記制御装置の下側には抽気装置が設置され、前記制御装置はまず前記昇降装置を制御して洗浄物を昇降させ、そして前記抽気装置を制御して前記側面蒸気チャンバの中に蒸気を送ることができ、前記抽気装置の右側には風力装置が設置され、前記洗浄チャンバの中で洗浄する時に生み出した気流は前記風力装置によって電気に転換されることを特徴とする省エネ型蒸気洗浄装置。
【請求項２】
前記昇降装置は前記洗浄チャンバの中に上下にスライド可能に設置された昇降板を含み、前記昇降板の上端面には固定柱が前後対称に、且つ固定的に設置され、前記固定柱の上端には前記洗浄チャンバの開口を密封できる密封板が固定的に設置され、前記密封板の中には頂部蒸気チャンバが設置され、前記頂部蒸気チャンバの下壁には下方に開口した頂部通気穴が連通するように設置され、前記頂部蒸気チャンバの左右両壁には開口が反対した導通口が対称的に、且つ連通するように設置され、前記導通口は最上側の前記側面通気穴と連通でき、前記固定柱の中には昇降ネジボルトがネジ山によって連結され、前記洗浄チャンバの下側にはプーリチャンバが前後対称に設置され、前記昇降ネジボルトの下端は前記プーリチャンバの中に伸び、且つ前記昇降ネジボルトの下端には従動プーリが固定的に設置されていることを特徴とする請求項１に記載の省エネ型蒸気洗浄装置。
【請求項３】
前記旋転装置は前記昇降板の中に設置され、且つ上方に開口した旋転チャンバを含み、前記旋転チャンバの中には回転盤が回転可能に設置され、前記回転盤の中には上方に開口した定位チャンバが設置され、前記定位チャンバの下壁のうち円心から離れたところには下方に開口した通気口が環状に配列し、且つ連通するように設置され、前記旋転チャンバの下壁には下方に開口した開口が連通するように設置され、前記回転盤の下端面の円心には前記開口を貫通したスプライン軸が固定的に設置されていることを特徴とする請求項１に記載の省エネ型蒸気洗浄装置。
【請求項４】
前記制御装置は前記プーリチャンバの間に連通するように設置された制御チャンバを含み、前記制御チャンバの上壁には回転軸が回転可能に設置され、前記回転軸の上端と前記スプライン軸とはスプラインで連結されることができ、前記回転軸の下端には上平歯車が固定的に設置され、前記上平歯車の右側には前記上平歯車と噛み合った伝動平歯車が回転可能に設置され、前記伝動平歯車は前記抽気装置に連結され、前記上平歯車の下側には下平歯車が回転可能に設置され、前記下平歯車の下側には駆動プーリが同軸に、且つ固定的に設置され、前記駆動プーリと前記従動プーリとの間には伝動ベルトが巻き付いていることを特徴とする請求項１に記載の省エネ型蒸気洗浄装置。
【請求項５】
前記制御チャンバの下壁の左端には制御モータが固定的に設置され、前記制御モータの上端には制御ネジボルトが伝動可能に連結され、前記制御チャンバの左壁には前記制御ネジボルトにネジ山によって連結された制御ブロックがスライド可能に設置され、前記制御ブロックの右端には動力モータが固定的に設置され、前記動力モータの上端には動力平歯車が伝動可能に連結され、前記動力平歯車は前記上平歯車と前記下平歯車とを交替して噛み合えることを特徴とする請求項１に記載の省エネ型蒸気洗浄装置。
【請求項６】
前記抽気装置は前記制御チャンバの下側に設置された抽気チャンバを含み、前記抽気チャンバの中には抽気軸が回転可能に設置され、前記抽気軸には抽気羽根が環状に配列し、且つ固定的に設置され、前記抽気チャンバの右側には傘歯車チャンバが設置され、前記抽気軸の右端は前記傘歯車チャンバの中に伸び、且つ前記抽気軸の右端には従動傘歯車が固定的に設置され、前記従動傘歯車の上側には駆動傘歯車が噛み合うように設置され、前記駆動傘歯車は前記伝動平歯車と同軸に、且つ固定的に連結され、前記抽気チャンバの上壁には排気穴が連通するように設置され、前記排気穴は二つに分割され、且つ前記側面蒸気チャンバの下壁に連通するように設置され、前記抽気チャンバの下壁には吸気穴が連通するように設置されていることを特徴とする請求項１に記載の省エネ型蒸気洗浄装置。
【請求項７】
前記抽気チャンバの左側には貯水チャンバが設置され、前記貯水チャンバの下壁には蒸気転化器が固定的に設置され、前記吸気穴は前記蒸気転化器の右端に連通するように設置され、前記貯水チャンバと前記蒸気転化器との間には通水孔が連通するように設置され、前記通水孔の左右壁には隔て板チャンバが連通するように設置され、前記隔て板チャンバの中には隔て板がスライド可能に設置され、前記隔て板の中には前記通水孔と連通できる連通口が上下貫通するように設置され、前記隔て板の左端と前記隔て板チャンバの左壁との間には復位ばねが固定的に連結され、前記隔て板の右端には上方に開口した凹溝が設置され、前記凹溝の中には上端が前記制御ブロックに固定的に連結された推動棒がスライド可能に設置されていることを特徴とする請求項１に記載の省エネ型蒸気洗浄装置。
【請求項８】
前記風力装置は前記洗浄機の中の右下方にある風力チャンバを含み、前記風力チャンバの中には動力軸が回転可能に設置され、前記動力軸にはファンチャンバが環状に配列し、且つ固定的に設置され、前記風力チャンバの上壁には廃気入口が連通するように設置され、前記廃気入口の上端は二つに分割され、且つ前記洗浄チャンバの下壁に連通するように設置され、前記風力チャンバの下壁には外部と連通した廃気出口が連通するように設置されていることを特徴とする請求項１に記載の省エネ型蒸気洗浄装置。
【請求項９】
前記風力チャンバの左壁の中には前記動力軸の左端に伝動可能に連結された運動エネルギー転換器が固定的に設置されていることを特徴とする請求項１に記載の省エネ型蒸気洗浄装置。
【発明の詳細な説明】
【技術分野】
【０００１】
本発明は蒸気洗浄技術分野を取り上げ、具体的には省エネ型蒸気洗浄装置である。
【背景技術】
【０００２】
蒸気洗浄機は高温による蒸気で、汚れ面の分子の運動を加速させ、分子の間の結合力を破壊し、それにより、様々な汚れを消せ、同時に、洗浄物に付着した黴菌・ニキビダニ・微生物・病原体を完全に消去できる。一般的な蒸気洗浄機のほとんどが外部で洗浄物の表面を洗浄し、生み出した気体と熱量はそのまま大気に排出され、利用されてないのであり、また、洗浄物の死角をうまく洗浄できない。しかし、蒸気の熱量は二次高温消毒を行え、死角の黴菌を充分に消去でき、また、生み出した気流も風力発電に利用できる。本発明の装置は上記の問題を解決できる。
【先行技術文献】
【特許文献】
【０００３】
【特許文献１】中国特許出願公開第１０２７４３１３５号明細書
【発明の概要】
【発明が解決しようとする課題】
【０００４】
本発明は省エネ型蒸気洗浄装置を提供し、既存技術にある上記の欠点を解消することを目的とする。
【課題を解決するための手段】
【０００５】
本発明の省エネ型蒸気洗浄装置は、洗浄機を含み、前記洗浄機の中には上方に開口した洗浄チャンバが設置され、前記洗浄チャンバの中には昇降装置が設置され、前記昇降装置の中の下側には旋転装置が設置され、前記昇降装置は洗浄物を前記洗浄チャンバの中に送り、密封を行え、前記洗浄チャンバの左右両側には扇形の側面蒸気チャンバが対称的に設置され、前記側面蒸気チャンバと前記洗浄チャンバと間には側面通気穴が上下に均一に配置し、且つ連通するように設置され、蒸気は前記側面通気穴を通過して洗浄物に噴出でき、前記旋転装置は洗浄物を緩速に回転させることができ、洗浄物を洗浄でき、前記洗浄チャンバの下側には制御装置が設置され、前記制御装置の下側には抽気装置が設置され、前記制御装置はまず前記昇降装置を制御して洗浄物を昇降させ、そして前記抽気装置を制御して前記側面蒸気チャンバの中に蒸気を送ることができ、前記抽気装置の右側には風力装置が設置され、前記洗浄チャンバの中で洗浄する時に生み出した気流は前記風力装置によって電気に転換される。
【０００６】
前記昇降装置は前記洗浄チャンバの中に上下にスライド可能に設置された昇降板を含み、前記昇降板の上端面には固定柱が前後対称に、且つ固定的に設置され、前記固定柱の上端には前記洗浄チャンバの開口を密封できる密封板が固定的に設置され、前記密封板の中には頂部蒸気チャンバが設置され、前記頂部蒸気チャンバの下壁には下方に開口した頂部通気穴が連通するように設置され、前記頂部蒸気チャンバの左右両壁には開口が反対した導通口が対称的に、且つ連通するように設置され、前記導通口は最上側の前記側面通気穴と連通でき、前記固定柱の中には昇降ネジボルトがネジ山によって連結され、前記洗浄チャンバの下側にはプーリチャンバが前後対称に設置され、前記昇降ネジボルトの下端は前記プーリチャンバの中に伸び、且つ前記昇降ネジボルトの下端には従動プーリが固定的に設置されている。
【０００７】
前記旋転装置は前記昇降板の中に設置され、且つ上方に開口した旋転チャンバを含み、前記旋転チャンバの中には回転盤が回転可能に設置され、前記回転盤の中には上方に開口した定位チャンバが設置され、前記定位チャンバの下壁のうち円心から離れたところには下方に開口した通気口が環状に配列し、且つ連通するように設置され、前記旋転チャンバの下壁には下方に開口した開口が連通するように設置され、前記回転盤の下端面の円心には前記開口を貫通したスプライン軸が固定的に設置されている。
【０００８】
前記制御装置は前記プーリチャンバの間に連通するように設置された制御チャンバを含み、前記制御チャンバの上壁には回転軸が回転可能に設置され、前記回転軸の上端と前記スプライン軸とはスプラインで連結されることができ、前記回転軸の下端には上平歯車が固定的に設置され、前記上平歯車の右側には前記上平歯車と噛み合った伝動平歯車が回転可能に設置され、前記伝動平歯車は前記抽気装置に連結され、前記上平歯車の下側には下平歯車が回転可能に設置され、前記下平歯車の下側には駆動プーリが同軸に、且つ固定的に設置され、前記駆動プーリと前記従動プーリとの間には伝動ベルトが巻き付いている。
【０００９】
好適な技術プランとして、前記制御チャンバの下壁の左端には制御モータが固定的に設置され、前記制御モータの上端には制御ネジボルトが伝動可能に連結され、前記制御チャンバの左壁には前記制御ネジボルトにネジ山によって連結された制御ブロックがスライド可能に設置され、前記制御ブロックの右端には動力モータが固定的に設置され、前記動力モータの上端には動力平歯車が伝動可能に連結され、前記動力平歯車は前記上平歯車と前記下平歯車とを交替して噛み合える。
【００１０】
前記抽気装置は前記制御チャンバの下側に設置された抽気チャンバを含み、前記抽気チャンバの中には抽気軸が回転可能に設置され、前記抽気軸には抽気羽根が環状に配列し、且つ固定的に設置され、前記抽気チャンバの右側には傘歯車チャンバが設置され、前記抽気軸の右端は前記傘歯車チャンバの中に伸び、且つ前記抽気軸の右端には従動傘歯車が固定的に設置され、前記従動傘歯車の上側には駆動傘歯車が噛み合うように設置され、前記駆動傘歯車は前記伝動平歯車と同軸に、且つ固定的に連結され、前記抽気チャンバの上壁には排気穴が連通するように設置され、前記排気穴は二つに分割され、且つ前記側面蒸気チャンバの下壁に連通するように設置され、前記抽気チャンバの下壁には吸気穴が連通するように設置されている。
【００１１】
好適な技術プランとして、前記抽気チャンバの左側には貯水チャンバが設置され、前記貯水チャンバの下壁には蒸気転化器が固定的に設置され、前記吸気穴は前記蒸気転化器の右端に連通するように設置され、前記貯水チャンバと前記蒸気転化器との間には通水孔が連通するように設置され、前記通水孔の左右壁には隔て板チャンバが連通するように設置され、前記隔て板チャンバの中には隔て板がスライド可能に設置され、前記隔て板の中には前記通水孔と連通できる連通口が上下貫通するように設置され、前記隔て板の左端と前記隔て板チャンバの左壁との間には復位ばねが固定的に連結され、前記隔て板の右端には上方に開口した凹溝が設置され、前記凹溝の中には上端が前記制御ブロックに固定的に連結された推動棒がスライド可能に設置されている。
【００１２】
前記風力装置は前記洗浄機の中の右下方にある風力チャンバを含み、前記風力チャンバの中には動力軸が回転可能に設置され、前記動力軸にはファンチャンバが環状に配列し、且つ固定的に設置され、前記風力チャンバの上壁には廃気入口が連通するように設置され、前記廃気入口の上端は二つに分割され、且つ前記洗浄チャンバの下壁に連通するように設置され、前記風力チャンバの下壁には外部と連通した廃気出口が連通するように設置されている。
【００１３】
好適な技術プランとして、前記風力チャンバの左壁の中には前記動力軸の左端に伝動可能に連結された運動エネルギー転換器が固定的に設置され、前記運動エネルギー転換器は運動エネルギーを電気に変えて貯蔵でき、前記制御モータと前記動力モータとは前記運動エネルギー転換器に通電可能に連結されている。
【発明の効果】
【００１４】
本発明のメリットは：本発明は密封環境で洗浄物に全方位洗浄を行うのと同時に、内部高温を利用して有効に殺菌と消毒もでき、また、洗浄中で生み出した気体が形成した気流を利用して電気を生み、貯蔵し、最大限にエネルギーの浪費を下げられ、よりエコである。
【図面の簡単な説明】
【００１５】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の省エネ型蒸気洗浄装置の全体構成略図
【図２】図２は図１におけるＡ―Ａ方向からの構成略図
【図３】図３は図１におけるＢの拡大略図
【図４】図４は図１におけるＣ―Ｃ方向からの構成略図
【図５】図５は図１におけるＤの拡大略図
【発明を実施するための形態】
【００１７】
本発明の省エネ型蒸気洗浄装置は、主に蒸気洗浄と消毒作業に応用し、下記に附図を合わせて本発明についてさらなる説明をする。
【００１８】
本発明の省エネ型蒸気洗浄装置は、洗浄機１１を含み、前記洗浄機１１の中には上方に開口した洗浄チャンバ１２が設置され、前記洗浄チャンバ１２の中には昇降装置１０１が設置され、前記昇降装置１０１の中の下側には旋転装置１０２が設置され、前記昇降装置１０１は洗浄物を前記洗浄チャンバ１２の中に送り、密封を行え、前記洗浄チャンバ１２の左右両側には扇形の側面蒸気チャンバ１３が対称的に設置され、前記側面蒸気チャンバ１３と前記洗浄チャンバ１２と間には側面通気穴１４が上下に均一に配置し、且つ連通するように設置され、蒸気は前記側面通気穴１４を通過して洗浄物に噴出でき、前記旋転装置１０２は洗浄物を緩速に回転させることができ、洗浄物を洗浄でき、前記洗浄チャンバ１２の下側には制御装置１０３が設置され、前記制御装置１０３の下側には抽気装置１０４が設置され、前記制御装置１０３はまず前記昇降装置１０１を制御して洗浄物を昇降させ、そして前記抽気装置１０４を制御して前記側面蒸気チャンバ１３の中に蒸気を送ることができ、前記抽気装置１０４の右側には風力装置１０５が設置され、前記洗浄チャンバ１２の中で洗浄する時に生み出した気流は前記風力装置１０５によって電気に転換される。
【００１９】
好ましくは、前記昇降装置１０１は前記洗浄チャンバ１２の中に上下にスライド可能に設置された昇降板１５を含み、前記昇降板１５の上端面には固定柱１６が前後対称に、且つ固定的に設置され、前記固定柱１６の上端には前記洗浄チャンバ１２の開口を密封できる密封板１７が固定的に設置され、前記密封板１７の中には頂部蒸気チャンバ１８が設置され、前記頂部蒸気チャンバ１８の下壁には下方に開口した頂部通気穴１９が連通するように設置され、前記頂部蒸気チャンバ１８の左右両壁には開口が反対した導通口２０が対称的に、且つ連通するように設置され、前記導通口２０は最上側の前記側面通気穴１４と連通でき、前記固定柱１６の中には昇降ネジボルト２１がネジ山によって連結され、前記洗浄チャンバ１２の下側にはプーリチャンバ２２が前後対称に設置され、前記昇降ネジボルト２１の下端は前記プーリチャンバ２２の中に伸び、且つ前記昇降ネジボルト２１の下端には従動プーリ２３が固定的に設置されている。
【００２０】
好ましくは、前記旋転装置１０２は前記昇降板１５の中に設置され、且つ上方に開口した旋転チャンバ２４を含み、前記旋転チャンバ２４の中には回転盤２５が回転可能に設置され、前記回転盤２５の中には上方に開口した定位チャンバ２６が設置され、前記定位チャンバ２６の下壁のうち円心から離れたところには下方に開口した通気口２７が環状に配列し、且つ連通するように設置され、前記旋転チャンバ２４の下壁には下方に開口した開口２８が連通するように設置され、前記回転盤２５の下端面の円心には前記開口２８を貫通したスプライン軸２９が固定的に設置されている。
【００２１】
好ましくは、前記制御装置１０３は前記プーリチャンバ２２の間に連通するように設置された制御チャンバ３０を含み、前記制御チャンバ３０の上壁には回転軸３１が回転可能に設置され、前記回転軸３１の上端と前記スプライン軸２９とはスプラインで連結されることができ、前記回転軸３１の下端には上平歯車３２が固定的に設置され、前記上平歯車３２の右側には前記上平歯車３２と噛み合った伝動平歯車３３が回転可能に設置され、前記伝動平歯車３３は前記抽気装置１０４に連結され、前記上平歯車３２の下側には下平歯車３４が回転可能に設置され、前記下平歯車３４の下側には駆動プーリ３５が同軸に、且つ固定的に設置され、前記駆動プーリ３５と前記従動プーリ２３との間には伝動ベルト３６が巻き付いている。
【００２２】
好ましくは、前記制御チャンバ３０の下壁の左端には制御モータ３７が固定的に設置され、前記制御モータ３７の上端には制御ネジボルト３８が伝動可能に連結され、前記制御チャンバ３０の左壁には前記制御ネジボルト３８にネジ山によって連結された制御ブロック３９がスライド可能に設置され、前記制御ブロック３９の右端には動力モータ４０が固定的に設置され、前記動力モータ４０の上端には動力平歯車４１が伝動可能に連結され、前記動力平歯車４１は前記上平歯車３２と前記下平歯車３４とを交替して噛み合える。
【００２３】
好ましくは、前記抽気装置１０４は前記制御チャンバ３０の下側に設置された抽気チャンバ４２を含み、前記抽気チャンバ４２の中には抽気軸４３が回転可能に設置され、前記抽気軸４３には抽気羽根４４が環状に配列し、且つ固定的に設置され、前記抽気チャンバ４２の右側には傘歯車チャンバ４５が設置され、前記抽気軸４３の右端は前記傘歯車チャンバ４５の中に伸び、且つ前記抽気軸４３の右端には従動傘歯車４６が固定的に設置され、前記従動傘歯車４６の上側には駆動傘歯車４７が噛み合うように設置され、前記駆動傘歯車４７は前記伝動平歯車３３と同軸に、且つ固定的に連結され、前記抽気チャンバ４２の上壁には排気穴４８が連通するように設置され、前記排気穴４８は二つに分割され、且つ前記側面蒸気チャンバ１３の下壁に連通するように設置され、前記抽気チャンバ４２の下壁には吸気穴４９が連通するように設置されている。
【００２４】
好ましくは、前記抽気チャンバ４２の左側には貯水チャンバ５０が設置され、前記貯水チャンバ５０の下壁には蒸気転化器５１が固定的に設置され、前記吸気穴４９は前記蒸気転化器５１の右端に連通するように設置され、前記貯水チャンバ５０と前記蒸気転化器５１との間には通水孔５２が連通するように設置され、前記通水孔５２の左右壁には隔て板チャンバ５３が連通するように設置され、前記隔て板チャンバ５３の中には隔て板５４がスライド可能に設置され、前記隔て板５４の中には前記通水孔５２と連通できる連通口５５が上下貫通するように設置され、前記隔て板５４の左端と前記隔て板チャンバ５３の左壁との間には復位ばね５６が固定的に連結され、前記隔て板５４の右端には上方に開口した凹溝５７が設置され、前記凹溝５７の中には上端が前記制御ブロック３９に固定的に連結された推動棒５８がスライド可能に設置されている。
【００２５】
好ましくは、前記風力装置１０５は前記洗浄機１１の中の右下方にある風力チャンバ５９を含み、前記風力チャンバ５９の中には動力軸６０が回転可能に設置され、前記動力軸６０にはファンチャンバ６１が環状に配列し、且つ固定的に設置され、前記風力チャンバ５９の上壁には廃気入口６２が連通するように設置され、前記廃気入口６２の上端は二つに分割され、且つ前記洗浄チャンバ１２の下壁に連通するように設置され、前記風力チャンバ５９の下壁には外部と連通した廃気出口６３が連通するように設置されている。
【００２６】
好ましくは、前記風力チャンバ５９の左壁の中には前記動力軸６０の左端に伝動可能に連結された運動エネルギー転換器６４が固定的に設置され、前記運動エネルギー転換器６４は運動エネルギーを電気に変えて貯蔵でき、前記制御モータ３７と前記動力モータ４０とは前記運動エネルギー転換器６４に通電可能に連結されている。
【００２７】
下記に、附図を合わせて本発明の使用手順について詳しく説明する：
【００２８】
はじめに、昇降板１５は洗浄チャンバ１２の中の下限界位置にあり、密封板１７洗浄チャンバ１２を密封し、この時、導通口２０と最上側の側面通気穴１４とが連通し、回転軸３１とスプライン軸２９とはスプラインで連結され、動力平歯車４１と下平歯車３４とは噛み合い、隔て板５４は通水孔５２を隔てる。
【００２９】
洗浄物を入れる時に、動力モータ４０が起動し、そして動力平歯車４１を連動させて回転させ、歯車の噛み合いによって下平歯車３４は駆動されて回転し、そして駆動プーリ３５を連動させて回転させ、伝動ベルト３６によって従動プーリ２３は駆動されて回転し、そして昇降ネジボルト２１を連動させて回転させ、ネジ山の連結によって昇降板１５と固定柱１６とは駆動されて上昇し、そして密封板１７を連動させて上昇させ、この時、洗浄物の下端を定位チャンバ２６の中に置き、動力モータ４０を逆回転させ、そして装置を初期状態に戻らせる。
【００３０】
洗浄する時に、制御モータ３７が起動し、そして制御ネジボルト３８を連動させて回転させ、動力平歯車４１と上平歯車３２とが噛み合うまで制御ブロック３９はネジ山の連結によって駆動されて上昇し、そして推動棒５８を連動させて上昇させ、この時、連通口５５と通水孔５２とが連通するまで隔て板５４は復位ばね５６の弾力によって左へ移動し、前記貯水チャンバ５０の中の水は通水孔５２を通過して蒸気転化器５１の中に入り、蒸気に変え、そして吸気穴４９を通過して抽気チャンバ４２の中に入り、動力モータ４０が起動し、動力平歯車４１は歯車の噛み合いによって上平歯車３２を回転連動させ、そして回転軸３１を回転連動させ、スプライン連結によってスプライン軸２９は駆動されて回転し、そして回転盤２５を連動させて回転させ、この時、上平歯車３２は歯車の噛み合いによって伝動平歯車３３を回転連動させ、そして駆動傘歯車４７を回転連動させ、歯車の噛み合いによって従動傘歯車４６は駆動されて回転し、そして抽気軸４３を回転連動させ、抽気羽根４４を回転連動させ、蒸気を排気穴４８の中に送り、そして側面蒸気チャンバ１３の中に送り、側面通気穴１４を通過して洗浄物の側面に蒸気洗浄を行い、側面蒸気チャンバ１３の中の蒸気は導通口２０を通過して頂部蒸気チャンバ１８の中に入り、そして頂部通気穴１９を通過して洗浄物の頂部に蒸気洗浄を行い、洗浄チャンバ１２の中に入った気体は廃気入口６２を通過して風力チャンバ５９の中に入り、且つファンチャンバ６１を吹き動かし、さらに動力軸６０を回転連動させ、運動エネルギー転換器６４によって運動エネルギーを電気に変えて貯蔵する。
【００３１】
本発明のメリットは：本発明は密封環境で洗浄物に全方位洗浄を行うのと同時に、内部高温を利用して有効に殺菌と消毒もでき、また、洗浄中で生み出した気体が形成した気流を利用して電気を生み、貯蔵し、最大限にエネルギーの浪費を下げられ、よりエコである。
【００３２】
以上の方法により、本分野の従業員は本発明の範囲内で作業内容に合わせて様々な変化を加えることができる。
【図１】
2020195988.tif 000003
【図２】
2020195988.tif 000004
【図３】
2020195988.tif 000005
【図４】
2020195988.tif 000006
【図５】
2020195988.tif 000007
【手続補正書】
【提出日】令和2年4月16日(2020.4.16)
【手続補正１】
【補正対象書類名】特許請求の範囲
【補正対象項目名】全文
【補正方法】変更
【補正の内容】
【特許請求の範囲】
【請求項１】
正面視で、洗浄機を含み、前記洗浄機の中には上方に開口した洗浄チャンバが設置され、前記洗浄チャンバの中には昇降装置が設置され、前記昇降装置の下側には旋転装置が設置され、前記昇降装置は洗浄物を前記洗浄チャンバの中に送り、密封を行え、前記洗浄チャンバの左右両側には扇形の側面蒸気チャンバが対称的に設置され、前記側面蒸気チャンバと前記洗浄チャンバと間には側面通気穴が上下に均一に配置し、且つ連通するように設置され、蒸気は前記側面通気穴を通過して洗浄物に噴出でき、前記旋転装置は洗浄物を緩速に回転させることができ、洗浄物を洗浄でき、前記洗浄チャンバの下側には制御装置が設置され、前記制御装置の下側には抽気装置が設置され、前記制御装置はまず前記昇降装置を制御して洗浄物を昇降させ、そして前記抽気装置を制御して前記側面蒸気チャンバの中に蒸気を送ることができ、前記抽気装置の右側には風力装置が設置され、前記洗浄チャンバの中で洗浄する時に生み出した気流は前記風力装置によって電気に転換され、
前記昇降装置は前記洗浄チャンバの中に上下にスライド可能に設置された昇降板を含み、前記昇降板の上端面には固定柱が前後対称に、且つ固定的に設置され、前記固定柱の上端には前記洗浄チャンバの開口を密封できる密封板が固定的に設置され、前記密封板の中には頂部蒸気チャンバが設置され、前記頂部蒸気チャンバの下壁には下方に開口した頂部通気穴が連通するように設置され、前記頂部蒸気チャンバの左右両壁には開口が反対した導通口が対称的に、且つ連通するように設置され、前記導通口は最上側の前記側面通気穴と連通でき、前記固定柱の中には昇降ネジボルトがネジ山によって連結され、前記洗浄チャンバの下側にはプーリチャンバが前後対称に設置され、前記昇降ネジボルトの下端は前記プーリチャンバの中に伸び、且つ前記昇降ネジボルトの下端には従動プーリが固定的に設置され、
前記旋転装置は前記昇降板の中に設置され、且つ上方に開口した旋転チャンバを含み、前記旋転チャンバの中には回転盤が回転可能に設置され、前記回転盤の中には上方に開口した定位チャンバが設置され、前記定位チャンバの下壁のうち円心から離れたところには下方に開口した通気口が環状に配列し、且つ連通するように設置され、前記旋転チャンバの下壁には下方に開口した開口が連通するように設置され、前記回転盤の下端面の円心には前記開口を貫通したスプライン軸が固定的に設置され、
前記制御装置は前記プーリチャンバの間に連通するように設置された制御チャンバを含み、前記制御チャンバの上壁には回転軸が回転可能に設置され、前記回転軸の上端と前記スプライン軸とはスプラインで連結されることができ、前記回転軸の下端には上平歯車が固定的に設置され、前記上平歯車の右側には前記上平歯車と噛み合った伝動平歯車が回転可能に設置され、前記伝動平歯車は前記抽気装置に連結され、前記上平歯車の下側には下平歯車が回転可能に設置され、前記下平歯車の下側には駆動プーリが同軸に、且つ固定的に設置され、前記駆動プーリと前記従動プーリとの間には伝動ベルトが巻き付いており、
前記制御チャンバの下壁の左端には制御モータが固定的に設置され、前記制御モータの上端には制御ネジボルトが伝動可能に連結され、前記制御チャンバの左壁には前記制御ネジボルトにネジ山によって連結された制御ブロックがスライド可能に設置され、前記制御ブロックの右端には動力モータが固定的に設置され、前記動力モータの上端には動力平歯車が伝動可能に連結され、前記動力平歯車は前記上平歯車と前記下平歯車とを交替して噛み合うことができ、
前記抽気装置は前記制御チャンバの下側に設置された抽気チャンバを含み、前記抽気チャンバの中には抽気軸が回転可能に設置され、前記抽気軸には抽気羽根が環状に配列し、且つ固定的に設置され、前記抽気チャンバの右側には傘歯車チャンバが設置され、前記抽気軸の右端は前記傘歯車チャンバの中に伸び、且つ前記抽気軸の右端には従動傘歯車が固定的に設置され、前記従動傘歯車の上側には駆動傘歯車が噛み合うように設置され、前記駆動傘歯車は前記伝動平歯車と同軸に、且つ固定的に連結され、前記抽気チャンバの上壁には排気穴が連通するように設置され、前記排気穴は二つに分割され、且つ前記側面蒸気チャンバの下壁に連通するように設置され、前記抽気チャンバの下壁には吸気穴が連通するように設置され、
前記抽気チャンバの左側には貯水チャンバが設置され、前記貯水チャンバの下壁には蒸気転化器が固定的に設置され、前記吸気穴は前記蒸気転化器の右端に連通するように設置され、前記貯水チャンバと前記蒸気転化器との間には通水孔が連通するように設置され、前記通水孔の左右壁には隔て板チャンバが連通するように設置され、前記隔て板チャンバの中には隔て板がスライド可能に設置され、前記隔て板の中には前記通水孔と連通できる連通口が上下貫通するように設置され、前記隔て板の左端と前記隔て板チャンバの左壁との間には復位ばねが固定的に連結され、前記隔て板の右端には上方に開口した凹溝が設置され、前記凹溝の中には上端が前記制御ブロックに固定的に連結された推動棒がスライド可能に設置され、
前記風力装置は前記洗浄機の中の右下方にある風力チャンバを含み、前記風力チャンバの中には動力軸が回転可能に設置され、前記動力軸にはファンチャンバが環状に配列し、且つ固定的に設置され、前記風力チャンバの上壁には廃気入口が連通するように設置され、前記廃気入口の上端は二つに分割され、且つ前記洗浄チャンバの下壁に連通するように設置され、前記風力チャンバの下壁には外部と連通した廃気出口が連通するように設置されていることを特徴とする省エネ型蒸気洗浄装置。
【請求項２】
前記風力チャンバの左壁の中には前記動力軸の左端に伝動可能に連結された運動エネルギー転換器が固定的に設置されていることを特徴とする請求項１に記載の省エネ型蒸気洗浄装置。
【手続補正２】
【補正対象書類名】明細書
【補正対象項目名】全文
【補正方法】変更
【補正の内容】
【発明の詳細な説明】
【技術分野】
【０００１】
本発明は蒸気洗浄技術分野を取り上げ、具体的には省エネ型蒸気洗浄装置である。
【背景技術】
【０００２】
蒸気洗浄機は高温による蒸気で、汚れ面の分子の運動を加速させ、分子の間の結合力を破壊し、それにより、様々な汚れを消せ、同時に、洗浄物に付着した黴菌・ニキビダニ・微生物・病原体を完全に消去できる。一般的な蒸気洗浄機のほとんどが外部で洗浄物の表面を洗浄し、生み出した気体と熱量はそのまま大気に排出され、利用されてないのであり、また、洗浄物の死角をうまく洗浄できない。しかし、蒸気の熱量は二次高温消毒を行え、死角の黴菌を充分に消去でき、また、生み出した気流も風力発電に利用できる。本発明の装置は上記の問題を解決できる。
【先行技術文献】
【特許文献】
【０００３】
【特許文献１】中国特許出願公開第１０２７４３１３５号明細書
【発明の概要】
【発明が解決しようとする課題】
【０００４】
本発明は省エネ型蒸気洗浄装置を提供し、既存技術にある上記の欠点を解消することを目的とする。
【課題を解決するための手段】
【０００５】
本発明の省エネ型蒸気洗浄装置は、洗浄機を含み、前記洗浄機の中には上方に開口した洗浄チャンバが設置され、前記洗浄チャンバの中には昇降装置が設置され、前記昇降装置の下側には旋転装置が設置され、前記昇降装置は洗浄物を前記洗浄チャンバの中に送り、密封を行え、前記洗浄チャンバの左右両側には扇形の側面蒸気チャンバが対称的に設置され、前記側面蒸気チャンバと前記洗浄チャンバと間には側面通気穴が上下に均一に配置し、且つ連通するように設置され、蒸気は前記側面通気穴を通過して洗浄物に噴出でき、前記旋転装置は洗浄物を緩速に回転させることができ、洗浄物を洗浄でき、前記洗浄チャンバの下側には制御装置が設置され、前記制御装置の下側には抽気装置が設置され、前記制御装置はまず前記昇降装置を制御して洗浄物を昇降させ、そして前記抽気装置を制御して前記側面蒸気チャンバの中に蒸気を送ることができ、前記抽気装置の右側には風力装置が設置され、前記洗浄チャンバの中で洗浄する時に生み出した気流は前記風力装置によって電気に転換される。
【０００６】
前記昇降装置は前記洗浄チャンバの中に上下にスライド可能に設置された昇降板を含み、前記昇降板の上端面には固定柱が前後対称に、且つ固定的に設置され、前記固定柱の上端には前記洗浄チャンバの開口を密封できる密封板が固定的に設置され、前記密封板の中には頂部蒸気チャンバが設置され、前記頂部蒸気チャンバの下壁には下方に開口した頂部通気穴が連通するように設置され、前記頂部蒸気チャンバの左右両壁には開口が反対した導通口が対称的に、且つ連通するように設置され、前記導通口は最上側の前記側面通気穴と連通でき、前記固定柱の中には昇降ネジボルトがネジ山によって連結され、前記洗浄チャンバの下側にはプーリチャンバが前後対称に設置され、前記昇降ネジボルトの下端は前記プーリチャンバの中に伸び、且つ前記昇降ネジボルトの下端には従動プーリが固定的に設置されている。
【０００７】
前記旋転装置は前記昇降板の中に設置され、且つ上方に開口した旋転チャンバを含み、前記旋転チャンバの中には回転盤が回転可能に設置され、前記回転盤の中には上方に開口した定位チャンバが設置され、前記定位チャンバの下壁のうち円心から離れたところには下方に開口した通気口が環状に配列し、且つ連通するように設置され、前記旋転チャンバの下壁には下方に開口した開口が連通するように設置され、前記回転盤の下端面の円心には前記開口を貫通したスプライン軸が固定的に設置されている。
【０００８】
前記制御装置は前記プーリチャンバの間に連通するように設置された制御チャンバを含み、前記制御チャンバの上壁には回転軸が回転可能に設置され、前記回転軸の上端と前記スプライン軸とはスプラインで連結されることができ、前記回転軸の下端には上平歯車が固定的に設置され、前記上平歯車の右側には前記上平歯車と噛み合った伝動平歯車が回転可能に設置され、前記伝動平歯車は前記抽気装置に連結され、前記上平歯車の下側には下平歯車が回転可能に設置され、前記下平歯車の下側には駆動プーリが同軸に、且つ固定的に設置され、前記駆動プーリと前記従動プーリとの間には伝動ベルトが巻き付いている。
【０００９】
好適な技術プランとして、前記制御チャンバの下壁の左端には制御モータが固定的に設置され、前記制御モータの上端には制御ネジボルトが伝動可能に連結され、前記制御チャンバの左壁には前記制御ネジボルトにネジ山によって連結された制御ブロックがスライド可能に設置され、前記制御ブロックの右端には動力モータが固定的に設置され、前記動力モータの上端には動力平歯車が伝動可能に連結され、前記動力平歯車は前記上平歯車と前記下平歯車とを交替して噛み合える。
【００１０】
前記抽気装置は前記制御チャンバの下側に設置された抽気チャンバを含み、前記抽気チャンバの中には抽気軸が回転可能に設置され、前記抽気軸には抽気羽根が環状に配列し、且つ固定的に設置され、前記抽気チャンバの右側には傘歯車チャンバが設置され、前記抽気軸の右端は前記傘歯車チャンバの中に伸び、且つ前記抽気軸の右端には従動傘歯車が固定的に設置され、前記従動傘歯車の上側には駆動傘歯車が噛み合うように設置され、前記駆動傘歯車は前記伝動平歯車と同軸に、且つ固定的に連結され、前記抽気チャンバの上壁には排気穴が連通するように設置され、前記排気穴は二つに分割され、且つ前記側面蒸気チャンバの下壁に連通するように設置され、前記抽気チャンバの下壁には吸気穴が連通するように設置されている。
【００１１】
好適な技術プランとして、前記抽気チャンバの左側には貯水チャンバが設置され、前記貯水チャンバの下壁には蒸気転化器が固定的に設置され、前記吸気穴は前記蒸気転化器の右端に連通するように設置され、前記貯水チャンバと前記蒸気転化器との間には通水孔が連通するように設置され、前記通水孔の左右壁には隔て板チャンバが連通するように設置され、前記隔て板チャンバの中には隔て板がスライド可能に設置され、前記隔て板の中には前記通水孔と連通できる連通口が上下貫通するように設置され、前記隔て板の左端と前記隔て板チャンバの左壁との間には復位ばねが固定的に連結され、前記隔て板の右端には上方に開口した凹溝が設置され、前記凹溝の中には上端が前記制御ブロックに固定的に連結された推動棒がスライド可能に設置されている。
【００１２】
前記風力装置は前記洗浄機の中の右下方にある風力チャンバを含み、前記風力チャンバの中には動力軸が回転可能に設置され、前記動力軸にはファンチャンバが環状に配列し、且つ固定的に設置され、前記風力チャンバの上壁には廃気入口が連通するように設置され、前記廃気入口の上端は二つに分割され、且つ前記洗浄チャンバの下壁に連通するように設置され、前記風力チャンバの下壁には外部と連通した廃気出口が連通するように設置されている。
【００１３】
好適な技術プランとして、前記風力チャンバの左壁の中には前記動力軸の左端に伝動可能に連結された運動エネルギー転換器が固定的に設置され、前記運動エネルギー転換器は運動エネルギーを電気に変えて貯蔵でき、前記制御モータと前記動力モータとは前記運動エネルギー転換器に通電可能に連結されている。
【発明の効果】
【００１４】
本発明のメリットは：本発明は密封環境で洗浄物に全方位洗浄を行うのと同時に、内部高温を利用して有効に殺菌と消毒もでき、また、洗浄中で生み出した気体が形成した気流を利用して電気を生み、貯蔵し、最大限にエネルギーの浪費を下げられ、よりエコである。
【図面の簡単な説明】
【００１５】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の省エネ型蒸気洗浄装置の全体構成略図
【図２】図２は図１におけるＡ―Ａ方向からの構成略図
【図３】図３は図１におけるＢの拡大略図
【図４】図４は図１におけるＣ―Ｃ方向からの構成略図
【図５】図５は図１におけるＤの拡大略図
【発明を実施するための形態】
【００１７】
本発明の省エネ型蒸気洗浄装置は、主に蒸気洗浄と消毒作業に応用し、下記に附図を合わせて本発明についてさらなる説明をする。
【００１８】
本発明の省エネ型蒸気洗浄装置は、洗浄機１１を含み、前記洗浄機１１の中には上方に開口した洗浄チャンバ１２が設置され、前記洗浄チャンバ１２の中には昇降装置１０１が設置され、前記昇降装置１０１の下側には旋転装置１０２が設置され、前記昇降装置１０１は洗浄物を前記洗浄チャンバ１２の中に送り、密封を行え、前記洗浄チャンバ１２の左右両側には扇形の側面蒸気チャンバ１３が対称的に設置され、前記側面蒸気チャンバ１３と前記洗浄チャンバ１２と間には側面通気穴１４が上下に均一に配置し、且つ連通するように設置され、蒸気は前記側面通気穴１４を通過して洗浄物に噴出でき、前記旋転装置１０２は洗浄物を緩速に回転させることができ、洗浄物を洗浄でき、前記洗浄チャンバ１２の下側には制御装置１０３が設置され、前記制御装置１０３の下側には抽気装置１０４が設置され、前記制御装置１０３はまず前記昇降装置１０１を制御して洗浄物を昇降させ、そして前記抽気装置１０４を制御して前記側面蒸気チャンバ１３の中に蒸気を送ることができ、前記抽気装置１０４の右側には風力装置１０５が設置され、前記洗浄チャンバ１２の中で洗浄する時に生み出した気流は前記風力装置１０５によって電気に転換される。
【００１９】
好ましくは、前記昇降装置１０１は前記洗浄チャンバ１２の中に上下にスライド可能に設置された昇降板１５を含み、前記昇降板１５の上端面には固定柱１６が前後対称に、且つ固定的に設置され、前記固定柱１６の上端には前記洗浄チャンバ１２の開口を密封できる密封板１７が固定的に設置され、前記密封板１７の中には頂部蒸気チャンバ１８が設置され、前記頂部蒸気チャンバ１８の下壁には下方に開口した頂部通気穴１９が連通するように設置され、前記頂部蒸気チャンバ１８の左右両壁には開口が反対した導通口２０が対称的に、且つ連通するように設置され、前記導通口２０は最上側の前記側面通気穴１４と連通でき、前記固定柱１６の中には昇降ネジボルト２１がネジ山によって連結され、前記洗浄チャンバ１２の下側にはプーリチャンバ２２が前後対称に設置され、前記昇降ネジボルト２１の下端は前記プーリチャンバ２２の中に伸び、且つ前記昇降ネジボルト２１の下端には従動プーリ２３が固定的に設置されている。
【００２０】
好ましくは、前記旋転装置１０２は前記昇降板１５の中に設置され、且つ上方に開口した旋転チャンバ２４を含み、前記旋転チャンバ２４の中には回転盤２５が回転可能に設置され、前記回転盤２５の中には上方に開口した定位チャンバ２６が設置され、前記定位チャンバ２６の下壁のうち円心から離れたところには下方に開口した通気口２７が環状に配列し、且つ連通するように設置され、前記旋転チャンバ２４の下壁には下方に開口した開口２８が連通するように設置され、前記回転盤２５の下端面の円心には前記開口２８を貫通したスプライン軸２９が固定的に設置されている。
【００２１】
好ましくは、前記制御装置１０３は前記プーリチャンバ２２の間に連通するように設置された制御チャンバ３０を含み、前記制御チャンバ３０の上壁には回転軸３１が回転可能に設置され、前記回転軸３１の上端と前記スプライン軸２９とはスプラインで連結されることができ、前記回転軸３１の下端には上平歯車３２が固定的に設置され、前記上平歯車３２の右側には前記上平歯車３２と噛み合った伝動平歯車３３が回転可能に設置され、前記伝動平歯車３３は前記抽気装置１０４に連結され、前記上平歯車３２の下側には下平歯車３４が回転可能に設置され、前記下平歯車３４の下側には駆動プーリ３５が同軸に、且つ固定的に設置され、前記駆動プーリ３５と前記従動プーリ２３との間には伝動ベルト３６が巻き付いている。
【００２２】
好ましくは、前記制御チャンバ３０の下壁の左端には制御モータ３７が固定的に設置され、前記制御モータ３７の上端には制御ネジボルト３８が伝動可能に連結され、前記制御チャンバ３０の左壁には前記制御ネジボルト３８にネジ山によって連結された制御ブロック３９がスライド可能に設置され、前記制御ブロック３９の右端には動力モータ４０が固定的に設置され、前記動力モータ４０の上端には動力平歯車４１が伝動可能に連結され、前記動力平歯車４１は前記上平歯車３２と前記下平歯車３４とを交替して噛み合える。
【００２３】
好ましくは、前記抽気装置１０４は前記制御チャンバ３０の下側に設置された抽気チャンバ４２を含み、前記抽気チャンバ４２の中には抽気軸４３が回転可能に設置され、前記抽気軸４３には抽気羽根４４が環状に配列し、且つ固定的に設置され、前記抽気チャンバ４２の右側には傘歯車チャンバ４５が設置され、前記抽気軸４３の右端は前記傘歯車チャンバ４５の中に伸び、且つ前記抽気軸４３の右端には従動傘歯車４６が固定的に設置され、前記従動傘歯車４６の上側には駆動傘歯車４７が噛み合うように設置され、前記駆動傘歯車４７は前記伝動平歯車３３と同軸に、且つ固定的に連結され、前記抽気チャンバ４２の上壁には排気穴４８が連通するように設置され、前記排気穴４８は二つに分割され、且つ前記側面蒸気チャンバ１３の下壁に連通するように設置され、前記抽気チャンバ４２の下壁には吸気穴４９が連通するように設置されている。
【００２４】
好ましくは、前記抽気チャンバ４２の左側には貯水チャンバ５０が設置され、前記貯水チャンバ５０の下壁には蒸気転化器５１が固定的に設置され、前記吸気穴４９は前記蒸気転化器５１の右端に連通するように設置され、前記貯水チャンバ５０と前記蒸気転化器５１との間には通水孔５２が連通するように設置され、前記通水孔５２の左右壁には隔て板チャンバ５３が連通するように設置され、前記隔て板チャンバ５３の中には隔て板５４がスライド可能に設置され、前記隔て板５４の中には前記通水孔５２と連通できる連通口５５が上下貫通するように設置され、前記隔て板５４の左端と前記隔て板チャンバ５３の左壁との間には復位ばね５６が固定的に連結され、前記隔て板５４の右端には上方に開口した凹溝５７が設置され、前記凹溝５７の中には上端が前記制御ブロック３９に固定的に連結された推動棒５８がスライド可能に設置されている。
【００２５】
好ましくは、前記風力装置１０５は前記洗浄機１１の中の右下方にある風力チャンバ５９を含み、前記風力チャンバ５９の中には動力軸６０が回転可能に設置され、前記動力軸６０にはファンチャンバ６１が環状に配列し、且つ固定的に設置され、前記風力チャンバ５９の上壁には廃気入口６２が連通するように設置され、前記廃気入口６２の上端は二つに分割され、且つ前記洗浄チャンバ１２の下壁に連通するように設置され、前記風力チャンバ５９の下壁には外部と連通した廃気出口６３が連通するように設置されている。
【００２６】
好ましくは、前記風力チャンバ５９の左壁の中には前記動力軸６０の左端に伝動可能に連結された運動エネルギー転換器６４が固定的に設置され、前記運動エネルギー転換器６４は運動エネルギーを電気に変えて貯蔵でき、前記制御モータ３７と前記動力モータ４０とは前記運動エネルギー転換器６４に通電可能に連結されている。
【００２７】
下記に、附図を合わせて本発明の使用手順について詳しく説明する：
【００２８】
はじめに、昇降板１５は洗浄チャンバ１２の中の下限界位置にあり、密封板１７洗浄チャンバ１２を密封し、この時、導通口２０と最上側の側面通気穴１４とが連通し、回転軸３１とスプライン軸２９とはスプラインで連結され、動力平歯車４１と下平歯車３４とは噛み合い、隔て板５４は通水孔５２を隔てる。
【００２９】
洗浄物を入れる時に、動力モータ４０が起動し、そして動力平歯車４１を連動させて回転させ、歯車の噛み合いによって下平歯車３４は駆動されて回転し、そして駆動プーリ３５を連動させて回転させ、伝動ベルト３６によって従動プーリ２３は駆動されて回転し、そして昇降ネジボルト２１を連動させて回転させ、ネジ山の連結によって昇降板１５と固定柱１６とは駆動されて上昇し、そして密封板１７を連動させて上昇させ、この時、洗浄物の下端を定位チャンバ２６の中に置き、動力モータ４０を逆回転させ、そして装置を初期状態に戻らせる。
【００３０】
洗浄する時に、制御モータ３７が起動し、そして制御ネジボルト３８を連動させて回転させ、動力平歯車４１と上平歯車３２とが噛み合うまで制御ブロック３９はネジ山の連結によって駆動されて上昇し、そして推動棒５８を連動させて上昇させ、この時、連通口５５と通水孔５２とが連通するまで隔て板５４は復位ばね５６の弾力によって左へ移動し、前記貯水チャンバ５０の中の水は通水孔５２を通過して蒸気転化器５１の中に入り、蒸気に変え、そして吸気穴４９を通過して抽気チャンバ４２の中に入り、動力モータ４０が起動し、動力平歯車４１は歯車の噛み合いによって上平歯車３２を回転連動させ、そして回転軸３１を回転連動させ、スプライン連結によってスプライン軸２９は駆動されて回転し、そして回転盤２５を連動させて回転させ、この時、上平歯車３２は歯車の噛み合いによって伝動平歯車３３を回転連動させ、そして駆動傘歯車４７を回転連動させ、歯車の噛み合いによって従動傘歯車４６は駆動されて回転し、そして抽気軸４３を回転連動させ、抽気羽根４４を回転連動させ、蒸気を排気穴４８の中に送り、そして側面蒸気チャンバ１３の中に送り、側面通気穴１４を通過して洗浄物の側面に蒸気洗浄を行い、側面蒸気チャンバ１３の中の蒸気は導通口２０を通過して頂部蒸気チャンバ１８の中に入り、そして頂部通気穴１９を通過して洗浄物の頂部に蒸気洗浄を行い、洗浄チャンバ１２の中に入った気体は廃気入口６２を通過して風力チャンバ５９の中に入り、且つファンチャンバ６１を吹き動かし、さらに動力軸６０を回転連動させ、運動エネルギー転換器６４によって運動エネルギーを電気に変えて貯蔵する。
【００３１】
本発明のメリットは：本発明は密封環境で洗浄物に全方位洗浄を行うのと同時に、内部高温を利用して有効に殺菌と消毒もでき、また、洗浄中で生み出した気体が形成した気流を利用して電気を生み、貯蔵し、最大限にエネルギーの浪費を下げられ、よりエコである。
【００３２】
以上の方法により、本分野の従業員は本発明の範囲内で作業内容に合わせて様々な変化を加えることができる。
【手続補正書】
【提出日】令和2年8月5日(2020.8.5)
【手続補正１】
【補正対象書類名】特許請求の範囲
【補正対象項目名】全文
【補正方法】変更
【補正の内容】
【特許請求の範囲】
【請求項１】
正面視で、洗浄機を含み、前記洗浄機の中には上方に開口した洗浄チャンバが設置され、前記洗浄チャンバの中には昇降装置が設置され、前記昇降装置の下側には旋転装置が設置され、前記昇降装置は洗浄物を前記洗浄チャンバの中に送り、密封を行え、前記洗浄チャンバの左右両側には扇形の側面蒸気チャンバが対称的に設置され、前記側面蒸気チャンバと前記洗浄チャンバと間には側面通気穴が上下に均一に配置し、且つ連通するように設置され、蒸気は前記側面通気穴を通過して洗浄物に噴出でき、前記旋転装置は洗浄物を緩速に回転させることができ、洗浄物を洗浄でき、前記洗浄チャンバの下側には制御装置が設置され、前記制御装置の下側には抽気装置が設置され、前記制御装置はまず前記昇降装置を制御して洗浄物を昇降させ、そして前記抽気装置を制御して前記側面蒸気チャンバの中に蒸気を送ることができ、前記抽気装置の右側には風力装置が設置され、前記洗浄チャンバの中で洗浄する時に生み出した気流は前記風力装置によって電気に転換され、
前記昇降装置は前記洗浄チャンバの中に上下にスライド可能に設置された昇降板を含み、前記昇降板の上端面には固定柱が前後対称に、且つ固定的に設置され、前記固定柱の上端には前記洗浄チャンバの開口を密封できる密封板が固定的に設置され、前記密封板の中には頂部蒸気チャンバが設置され、前記頂部蒸気チャンバの下壁には下方に開口した頂部通気穴が連通するように設置され、前記頂部蒸気チャンバの左右両壁には開口が反対した導通口が対称的に、且つ連通するように設置され、前記導通口は最上側の前記側面通気穴と連通でき、前記固定柱の中には昇降ネジボルトがネジ山によって連結され、前記洗浄チャンバの下側にはプーリチャンバが前後対称に設置され、前記昇降ネジボルトの下端は前記プーリチャンバの中に伸び、且つ前記昇降ネジボルトの下端には従動プーリが固定的に設置され、
前記旋転装置は前記昇降板の中に設置され、且つ上方に開口した旋転チャンバを含み、前記旋転チャンバの中には回転盤が回転可能に設置され、前記回転盤の中には上方に開口した定位チャンバが設置され、前記定位チャンバの下壁のうち円心から離れたところには下方に開口した通気口が環状に配列し、且つ連通するように設置され、前記旋転チャンバの下壁には下方に開口した開口が連通するように設置され、前記回転盤の下端面の円心には前記開口を貫通したスプライン軸が固定的に設置され、
前記制御装置は前記プーリチャンバの間に連通するように設置された制御チャンバを含み、前記制御チャンバの上壁には回転軸が回転可能に設置され、前記回転軸の上端と前記スプライン軸とはスプラインで連結されることができ、前記回転軸の下端には上平歯車が固定的に設置され、前記上平歯車の右側には前記上平歯車と噛み合った伝動平歯車が回転可能に設置され、前記伝動平歯車は前記抽気装置に連結され、前記上平歯車の下側には下平歯車が回転可能に設置され、前記下平歯車の下側には駆動プーリが同軸に、且つ固定的に設置され、前記駆動プーリと前記従動プーリとの間には伝動ベルトが巻き付いており、
前記制御チャンバの下壁の左端には制御モータが固定的に設置され、前記制御モータの上端には制御ネジボルトが伝動可能に連結され、前記制御チャンバの左壁には前記制御ネジボルトにネジ山によって連結された制御ブロックがスライド可能に設置され、前記制御ブロックの右端には動力モータが固定的に設置され、前記動力モータの上端には動力平歯車が伝動可能に連結され、前記動力平歯車は前記上平歯車と前記下平歯車とを交替して噛み合うことができ、
前記抽気装置は前記制御チャンバの下側に設置された抽気チャンバを含み、前記抽気チャンバの中には抽気軸が回転可能に設置され、前記抽気軸には抽気羽根が環状に配列し、且つ固定的に設置され、前記抽気チャンバの右側には傘歯車チャンバが設置され、前記抽気軸の右端は前記傘歯車チャンバの中に伸び、且つ前記抽気軸の右端には従動傘歯車が固定的に設置され、前記従動傘歯車の上側には駆動傘歯車が噛み合うように設置され、前記駆動傘歯車は前記伝動平歯車と同軸に、且つ固定的に連結され、前記抽気チャンバの上壁には排気穴が連通するように設置され、前記排気穴は二つに分割され、且つ前記側面蒸気チャンバの下壁に連通するように設置され、前記抽気チャンバの下壁には吸気穴が連通するように設置され、
前記抽気チャンバの左側には貯水チャンバが設置され、前記貯水チャンバの下壁には蒸気転化器が固定的に設置され、前記吸気穴は前記蒸気転化器の右端に連通するように設置され、前記貯水チャンバと前記蒸気転化器との間には通水孔が連通するように設置され、前記通水孔の左右壁には隔て板チャンバが連通するように設置され、前記隔て板チャンバの中には隔て板がスライド可能に設置され、前記隔て板の中には前記通水孔と連通できる連通口が上下貫通するように設置され、前記隔て板の左端と前記隔て板チャンバの左壁との間には復位ばねが固定的に連結され、前記隔て板の右端には上方に開口した凹溝が設置され、前記凹溝の中には上端が前記制御ブロックに固定的に連結された推動棒がスライド可能に設置され、
前記風力装置は前記洗浄機の中の右下方にある風力チャンバを含み、前記風力チャンバの中には動力軸が回転可能に設置され、前記動力軸にはファンチャンバが環状に配列し、且つ固定的に設置され、前記風力チャンバの上壁には廃気入口が連通するように設置され、前記廃気入口の上端は二つに分割され、且つ前記洗浄チャンバの下壁に連通するように設置され、前記風力チャンバの下壁には外部と連通した廃気出口が連通するように設置され、
前記風力チャンバの左壁の中には前記動力軸の左端に伝動可能に連結された運動エネルギー転換器が固定的に設置され、
洗浄物を入れる時に、前記動力モータが起動し、そして前記動力平歯車を連動させて回転させ、歯車の噛み合いによって前記下平歯車は駆動されて回転し、そして前記駆動プーリを連動させて回転させ、前記伝動ベルトによって前記従動プーリは駆動されて回転し、そして前記昇降ネジボルトを連動させて回転させ、ネジ山の連結によって前記昇降板と前記固定柱とは駆動されて上昇し、そして前記密封板を連動させて上昇させ、この時、洗浄物の下端を前記定位チャンバの中に置き、前記動力モータを逆回転させ、そして装置を初期状態に戻らせ、
洗浄する時に、前記制御モータが起動し、そして前記制御ネジボルトを連動させて回転させ、前記動力平歯車と前記上平歯車とが噛み合うまで前記制御ブロックはネジ山の連結によって駆動されて上昇し、そして前記推動棒を連動させて上昇させ、この時、前記連通口と前記通水孔とが連通するまで前記隔て板は前記復位ばねの弾力によって左へ移動し、前記貯水チャンバの中の水は前記通水孔を通過して前記蒸気転化器の中に入り、蒸気に変え、そして前記吸気穴を通過して前記抽気チャンバの中に入り、前記動力モータが起動し、前記動力平歯車は歯車の噛み合いによって前記上平歯車を回転連動させ、そして前記回転軸を回転連動させ、スプライン連結によって前記スプライン軸は駆動されて回転し、そして前記回転盤を連動させて回転させ、この時、前記上平歯車は歯車の噛み合いによって前記伝動平歯車を回転連動させ、そして前記駆動傘歯車を回転連動させ、歯車の噛み合いによって前記従動傘歯車は駆動されて回転し、そして前記抽気軸を回転連動させ、前記抽気羽根を回転連動させ、蒸気を前記排気穴の中に送り、そして前記側面蒸気チャンバの中に送り、前記側面通気穴を通過して洗浄物の側面に蒸気洗浄を行い、前記側面蒸気チャンバの中の蒸気は前記導通口を通過して前記頂部蒸気チャンバの中に入り、そして前記頂部通気穴を通過して洗浄物の頂部に蒸気洗浄を行い、前記洗浄チャンバの中に入った気体は前記廃気入口を通過して前記風力チャンバの中に入り、且つ前記ファンチャンバを吹き動かし、さらに前記動力軸を回転連動させ、前記運動エネルギー転換器によって運動エネルギーを電気に変えて貯蔵することを特徴とする省エネ型蒸気洗浄装置。